(57)【要約】【課題】物体を混合したときの香り又は味を視覚的に把握できるようにする。【解決手段】センサ装置４０のセンシング面に複数のサンプル６０が置かれた場合、表示制御部１４は、それぞれのサンプル６０のサンプル６０の位置関係に応じた表示領域に、それぞれのサンプルに関する表現を表示する。例えば２つのサンプルＡ，Ｂがセンシング面に置かれた場合、サンプルＡとサンプルＢの間の表示領域に、サンプルＡ及びサンプルＢに共通する表現が表示される。また、センシング面に置いては或る基準点が決められており、表示制御部１４は、その基準点から各々のサンプルまでの距離に応じた比を各サンプルの混合比率とし、その混合比率を表示する。【選択図】図３
2020160982.tif 000002
【特許請求の範囲】
【請求項１】
ユーザの嗅覚又は味覚を刺激する複数の物体の位置をそれぞれ特定する特定部と、
特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部と
を備えることを特徴とする情報処理装置。
【請求項２】
前記表示制御部は、第１の前記物体と第２の前記物体との間の表示領域に、当該第１の物体と当該第２の物体とに共通する前記表現を表示する
ことを特徴とする請求項１記載の情報処理装置。
【請求項３】
前記表示制御部は、第１の前記物体と第２の前記物体との間の表示領域に、当該第１の物体と当該第２の物体とが混合された混合物体によって刺激される嗅覚又は味覚に関する表現を表示する
ことを特徴とする請求項１又は２記載の情報処理装置。
【請求項４】
前記表示制御部は、第１の物体に関する前記表現と第２の物体に関する前記表現とのうち、所定の関係にある表現については、当該所定の関係ではない表現と識別可能な表示態様で表示する
ことを特徴とする請求項１〜３のいずれか１項に記載の情報処理装置。
【請求項５】
前記表示制御部は、前記基準点から各々の前記物体までの距離に応じた比を各物体の混合比率とし、その混合比率を表示する
ことを特徴とする請求項１〜４のいずれか１項に記載の情報処理装置。
【請求項６】
前記表示制御部は、所定の基準点から各々の前記物体までの距離に応じた比を当該各々の物体の混合比率とし、その混合比率に応じた表示態様で前記表現を表示する
ことを特徴とする請求項１〜５のいずれか１項に記載の情報処理装置。
【請求項７】
コンピュータに、
ユーザの嗅覚又は味覚を刺激する複数の物体の位置をそれぞれ特定する特定部と、
特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部と
を実現させるためのプログラム。
【請求項８】
操作装置と、
表示装置と、
前記操作装置においてユーザの嗅覚又は味覚を刺激する物体が置かれる操作がなされた位置を特定する特定部と、前記表示装置を制御して、特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部と備える情報処理装置と
を有することを特徴とする情報提供システム。
【発明の詳細な説明】
【技術分野】
【０００１】
本発明は、物体の香り又は味を混合したときの香り又は味を知るための技術に関する。
【背景技術】
【０００２】
香りは、人間の感情や行動、記憶を司る大脳辺縁系に働きかけることで様々な効用を人間に与えることが知られている。例えば特許文献１には、香りを嗅いだ被験者に対し、その香りを嗅いだことによって想起された心的事象について質問を提示し、その回答を数値として取得することが記載されている。
【先行技術文献】
【特許文献】
【０００３】
【特許文献１】特開２０１６−１８０８３０号公報
【発明の概要】
【発明が解決しようとする課題】
【０００４】
ところで、或る香りと別の香りが混合されたときにどのような香りになるかを正確に知ることは難しい。これは、物体の香りに限らず、物体の味についても同様であり、或る味の物体と別の味の物体とが混合されたときにどのような味になるかを正確に知ることは簡単ではない。
【０００５】
そこで、本発明は、物体を混合したときの香り又は味を視覚的に把握できるようにすることを目的とする。
【課題を解決するための手段】
【０００６】
上記課題を解決するため、本発明は、ユーザの嗅覚又は味覚を刺激する複数の物体の位置をそれぞれ特定する特定部と、特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部とを備えることを特徴とする情報処理装置を提供する。
【０００７】
前記表示制御部は、第１の前記物体と第２の前記物体との間の表示領域に、当該第１の物体と当該第２の物体とに共通する前記表現を表示するようにしてもよい。
【０００８】
前記表示制御部は、第１の前記物体と第２の前記物体との間の表示領域に、当該第１の物体と当該第２の物体とが混合された混合物体によって刺激される嗅覚又は味覚に関する表現を表示するようにしてもよい。
【０００９】
前記表示制御部は、第１の物体に関する前記表現と第２の物体に関する前記表現とのうち、所定の関係にある表現については、当該所定の関係ではない表現と識別可能な表示態様で表示するようにしてもよい。
【００１０】
前記表示制御部は、前記基準点から各々の前記物体までの距離を各物体の混合比率とし、その混合比率を表示するようにしてもよい。
【００１１】
前記表示制御部は、所定の基準点から各々の前記物体までの距離を当該各々の物体の混合比率とし、その混合比率に応じた表示態様で前記表現を表示するようにしてもよい。
【００１２】
また、本発明は、コンピュータに、ユーザの嗅覚又は味覚を刺激する複数の物体の位置をそれぞれ特定する特定部と、特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部とを実現させるためのプログラムを提供する。
【００１３】
また、本発明は、操作装置と、表示装置と、前記操作装置においてユーザの嗅覚又は味覚を刺激する物体が置かれる操作がなされた位置を特定する特定部と、前記表示装置を制御して、特定された各物体の位置に対応する表示領域に、当該物体によって刺激される嗅覚又は味覚に関する１以上の表現を表示する表示制御部であって、各々の前記表現を前記複数の物体の位置関係に応じた表示領域に表示する表示制御部と備える情報処理装置とを有することを特徴とする情報提供システムを提供する。
【発明の効果】
【００１４】
本発明によれば、物体を混合したときの香り又は味を視覚的に把握できるようになる。
【図面の簡単な説明】
【００１５】
【図１】本発明の一実施形態に係る情報提供システムの全体構成を例示するブロック図である。
【図２】情報提供システムの構造を例示する側面図である。
【図３】本発明の一実施形態に係る情報処理装置のハードウェア構成の一例を示すブロック図である。
【図４】情報処理装置が記憶する表現ＤＢの一例を示す図である。
【図５】情報処理装置の機能構成の一例を示すブロック図である。
【図６】情報処理装置の動作の一例を示すフローチャートである。
【図７】情報提供システムの利用時において、センサ装置のセンシング面を上方から見たときの様子を例示する平面図である。
【図８】情報提供システムの利用時において、センサ装置のセンシング面を上方から見たときの様子を例示する平面図である。
【図９】情報提供システムの利用時において、センサ装置のセンシング面を上方から見たときの様子を例示する平面図である。
【図１０】情報提供システムの利用時において、センサ装置のセンシング面を上方から見たときの様子を例示する平面図である。
【発明を実施するための形態】
【００１６】
［構成］
まず、本発明の一実施形態に係る情報提供システム１の全体構成について説明する。情報提供システム１は、物体の香りとその香りの表現との関係をユーザが視覚的に把握できるようにするための情報提供を行うシステムである。図１に示すように、情報提供システム１は、情報処理装置１０と、プロジェクタ装置２０と、センサ装置４０と、複数のサンプル６０とを備えている。情報処理装置１０、プロジェクタ装置２０及びセンサ装置４０は、有線又は無線によって通信可能に接続されている。情報処理装置１０は、本発明に係る情報処理装置の一例であり、情報提供システム１において中枢的な制御を司る装置である。プロジェクタ装置２０は、ユーザに対して情報を表示する表示装置の一例である。センサ装置４０は、ユーザの操作を受け付ける操作装置の一例である。複数のサンプル６０はいずれも、ユーザの嗅覚を刺激する香りを発する物体である。例えば、サンプル６０は、香りを発する自然物（例えばラベンダーという植物そのもの）であってもよいし、その香りを含む人工生成物（例えばラベンダーの香りが抽出された揮発性の液体や、その液体をしみこませたシートなど）であってもよい。本実施形態では、サンプル６０として、香りを発する自然物から抽出された香りを含むアロマオイルと呼ばれる液体を収容した円筒状の蓋付き小瓶を用いる。各サンプル６０には、そのサンプルの名称（例えば「ラベンダー」という植物の名称）が記されたシールや札が付されている。ユーザはこの名称を参照することによって、各サンプルを視覚的に識別する。
【００１７】
図２は、情報提供システム１の構造を例示する側面図、より具体的には、プロジェクタ装置２０、センサ装置４０及びサンプル６０を水平方向から見たときの位置関係を例示する図である。センサ装置４０は、例えば薄い矩形の板状であり、その上面が水平なセンシング面となっている。サンプル６０には、各サンプルを識別する識別情報（サンプルＩＤという）を記憶した記憶媒体であるタグ６１が設けられている。センサ装置４０は、センシング面にサンプル６０が置かれると、例えばＮＦＣ（Near Field Communication）と呼ばれる近距離無線通信規格を用いて、そのサンプル６０のタグ６１に記憶されたサンプルＩＤを読み取るとともに、そのサンプル６０が置かれた位置（つまりセンシング面におけるタグ６１の読み取り位置）を検出する。
【００１８】
プロジェクタ装置２０は、センサ装置４０の上方（例えば部屋の天井）に設置されている。プロジェクタ装置２０は、図２の破線で示すようにセンサ装置４０のセンシング面の全範囲を投影範囲としており、上記Ｘ，Ｙ座標に基づいて、センシング面の任意の位置に光を投影して画像を表示することができるようになっている。つまり、センサ装置４０のセンシング面は、画像が表示される表示面としても機能する。
【００１９】
図３は、情報処理装置１０のハードウェア構成を例示する図である。情報処理装置１０は、ＣＰＵ１０１（Central Processing Unit）、ＲＯＭ（Read Only Memory）１０２、ＲＡＭ（Random Access Memory）１０３、補助記憶装置１０４及び通信ＩＦ（Interface）１０５を有するコンピュータである。
【００２０】
ＣＰＵ１０１は、各種の演算を行うプロセッサである。ＲＯＭ１０２は、例えば情報処理装置１０の起動に用いられるプログラム及びデータを記憶した不揮発性メモリである。ＲＡＭ１０３は、ＣＰＵ１０１がプログラムを実行する際のワークエリアとして機能する揮発性メモリである。補助記憶装置１０４は、例えばＨＤＤ（Hard Disk Drive）又はＳＳＤ（Solid State Drive）などの不揮発性の記憶装置であり、情報処理装置１０において用いられるプログラム及びデータを記憶する。ＣＰＵ１０１はこのプログラムを実行することにより、後述する機能を実現し、また、後述する動作を実行する。通信ＩＦ１０５は、所定の通信規格に従って通信を行うためのインターフェースである。この通信規格は、有線通信の規格であってもよいし、無線通信の規格であってもよい。なお、情報処理装置１０は、図３に例示した構成以外に、例えば液晶ディスプレイ等の表示装置やキーボード等の操作装置などの、他の構成を含んでいてもよい。
【００２１】
補助記憶装置１０４は、図４に示すような表現データベース（以下、データベースをＤＢと表現する）を記憶している。この表現ＤＢにおいては、各々のサンプルＩＤと、そのサンプルＩＤに対応するサンプル６０によって刺激される嗅覚に関する１以上の表現（つまりサンプル６０の香りを文字で表した１以上の表現）が対応付けられている。つまり、この表現は、ユーザがサンプル６０の香りを嗅いだときに、その香りを他人に伝えるための手段として用いられる。この表現は、例えば名詞や形容詞等のあらゆる品詞を用いた表現であってもよいし、また、その香りの直接的表現から間接的表現までをも網羅している。ここでいう直接的な表現とは、例えば「甘い」とか「フルーティ」というように、香りのイメージを想起させるときに慣用される表現のことであり、間接的な表現とは、例えば「春」とか「朝」とか「散歩」といったように、上記の直接的な表現に比べると、香りの表現としては慣用されていない表現のことである。間接的表現とは、直接的表現を基準としてその直接的表現から想起される二次的な表現であり、直接的表現と比べて香りを抽象的に表す表現と言ってもよい。
【００２２】
さらに、この表現ＤＢには、各表現を表示するときの表示態様が含まれている。この表示態様は、例えば、表現を表示する位置、表現を表示する位置とサンプル６０との距離、サンプル６０に対する表現の表示位置の方向、表現を表示するときの色、表現を表示するときの大きさ、表現を表示するときのフォント、表現を表示するときの修飾、表現を表示する時間、表現を表示する時期、表現の動き（表現の空間的な変化又は時間的な変化を含む）、又は、表現に用いられる言語等を含む。
【００２３】
この表示態様は、サンプル６０と表現との関係に応じて変わる。サンプル６０と表現との関係とは、そのサンプル６０においてその表現によって表される香り（より厳密にいうとそのサンプルの香りに含まれる成分）の強度や量、或いは、その香りに対するその表現の抽象度等である。例えば「甘い」という香りが強いサンプル６０の近くには、「甘い」という表現を表示するとか、「甘い」という香りが強いサンプル６０に対しては、大きく又は目立つ色で「甘い」という表現を表示するとか、「甘い」という香りが強いサンプル６０に対しては、振動するように動くことで目立つように「甘い」という表現を表示するといった例が、サンプル６０と表現との関係に応じて変わる表示態様の一例である。また、例えば「甘い」という香りが強く、且つ、「フルーティ」という香りが弱いサンプルに対しては、そのサンプルの近くに「甘い」という表現を表示し、そのサンプルの遠くに「フルーティ」という表現を表示するという例も、サンプル６０と表現との関係に応じて変わる表示態様の一例である。また、或るサンプルに対して直接的表現と間接的表現とが対応付けられている場合には、そのサンプルの近くに直接的表現を表示し、そのサンプルの遠くに間接的表現を表示するというように、表現の抽象度に応じてサンプル６０と表現との距離を変えるという例も、サンプル６０と表現との関係に応じて変わる表示態様の一例である。要するに、サンプル６０と表現との関係の内容（具体的には関係の強弱や関係の仕方）が視覚的に認識し得るような表示態様で表現を表示する、ということである。
【００２４】
図４の例では、サンプルＩＤ「ＩＤ００１」のサンプル６０については、表現１として「甘い」、表現２として「フレッシュ」、表現３として「花」…が設定されている。これらの表現のうち、「甘い」という表現１の表示態様は、表現を表示する位置とサンプルとの距離が「２単位」であり（１単位は、センシング面において任意に決められる長さ）、色は「赤」であり、フォントは「ゴシック体」であり、サイズ（大きさ）は「２５ポイント」であり、動きは「点滅」である。
【００２５】
次に、図５は、情報処理装置１０の機能構成の一例を示すブロック図である。情報処理装置１０は、サンプル特定部１１、位置特定部１２、表現ＤＢ記憶部１３及び表示制御部１４という機能を実現する。
【００２６】
サンプル特定部１１は、センサ装置４０のセンシング面にサンプル６０が置かれると、そのサンプル６０のタグ６１に記憶されたサンプルＩＤの読み取り結果に基づいて、どのサンプル６０がセンシング面に置かれたかを特定する。
【００２７】
位置特定部１２は、センサ装置４０のセンシング面にサンプル６０が置かれると、そのサンプル６０のタグ６１に記憶されたサンプルＩＤが読み取られた位置に基づいて、サンプル６０がセンシング面のどの位置に置かれたか（つまりセンサ装置４０においてサンプル６０が置かれる操作がなされた位置）を特定する。
【００２８】
表示制御部１４は、プロジェクタ装置２０を制御して、位置特定部１２により特定されたサンプル６０の位置に対応する表示領域に、サンプル特定部１１により特定されたサンプル６０によって刺激される嗅覚に関する１以上の表現を表示する。このとき、表示制御部１４は、表現ＤＢ記憶部１３に記憶された表現ＤＢにおいて、サンプル特定部１１により特定されたサンプルに対応する表示態様で表示する。サンプル６０の位置に対応する表示領域とは、例えばそのサンプル６０の位置から決められた距離の範囲内のセンシング面上の領域であり、具体的には、センシング面においてサンプル６０の位置を中心とした半径１０センチ以内の円形の領域であるという例が考えられる。ただし、サンプル６０の位置に対応する表示領域はこの例に限らず、表示された表現がどのサンプルに関する表現であるかをユーザが認識することができるような領域であればよい。
【００２９】
センサ装置４０のセンシング面に置かれるサンプル６０は１つに限らず、同時に複数置かれてもよい。この場合、表示制御部１４は、それぞれのサンプル６０の位置関係に応じた表示領域に、それぞれのサンプル６０に関する表現を表示する。例えば２つのサンプルＡ，Ｂがセンシング面に置かれた場合、サンプルＡとサンプルＢの間の表示領域に、サンプルＡ及びサンプルＢに共通する表現が表示される。ここでいうサンプルＡとサンプルＢの間の表示領域とは、例えば、サンプルＡの位置とサンプルＢの位置とを結ぶ直線の少なくとも一部を含む表示領域であるが、要するに、表示された表現がどのサンプルとどのサンプルに関する表現であるかをユーザが認識することができるような表示領域であればよい。また、センシング面においては或る基準点が決められており、表示制御部１４は、その基準点から各々のサンプルまでの距離に応じた比を各サンプルの混合比率とし、その混合比率を表示する。
【００３０】
［動作］
次に、図６のフローチャートに沿って、本実施形態の動作を説明する。なお、図７は、センサ装置４０のセンシング面を上方から見たときの様子を例示する平面図である。この例では、前述した基準点Ｐは、センシング面のほぼ中心とする。
【００３１】
ここで、ユーザは、サンプル６０に付されたサンプルの名称を参考にして、香りに関する表現を知りたいと思うサンプル（ここではサンプル６０ａとする）をセンサ装置４０のセンシング面に置く。このとき、情報処理装置１０のサンプル特定部１１は、センサ装置４０によるサンプルＩＤの読み取り結果に基づいて、どのサンプル６０がセンシング面に置かれているかを特定する（図６のステップＳ１１）。さらに、情報処理装置１０の位置特定部１２は、センサ装置４０によるサンプルＩＤの読み取り位置に基づいて、どのサンプル６０がセンシング面のどこに置かれているかを特定する（図６のステップＳ１２）。なお、ステップＳ１１及びＳ１２の処理の順番は図６の例とは逆であってもよいし、両者の処理が実質的に同時に行われてもよい。
【００３２】
次に、表示制御部１４は、サンプル６０ａのサンプルＩＤをキーにして、表現ＤＢにおいてそのサンプルＩＤに対応する表現を検索する（図６のステップＳ１３）。そして、表示制御部１４は、基準点Ｐから各々のサンプルまでの距離を各サンプルの混合比率として決定する（図６のステップＳ１４）。ここでは、置かれたサンプルは１つであるから、混合比率という概念に相当するものは無い。さらに、表示制御部１４は、表現ＤＢを参照して、検索した表現の各々に対応する表示態様を決定する（図６のステップＳ１５）。そして、表示制御部１４は、プロジェクタ装置２０を制御して、位置特定部１２により特定されたサンプル６０ａの位置に対応する表示領域に、ステップＳ１３で検索した表現を、ステップＳ１５で決定した表示態様で表示する（図６のステップＳ１６）。
【００３３】
これにより、図８に例示するように、サンプル６０ａの香りに関する表現が、例えばそのサンプル６０ａの位置を中心とした任意の大きさの円の内部に表示される。このときの各表現の表示態様は、前述したとおり、その表現とサンプル６０ａとの関係に応じた表示態様である。ユーザは、これらの表現を見ながらサンプル６０ａの蓋を開けてその香りを嗅ぐことで、そのサンプル６０ａの香りに対する表現のしかたを知ることができる。このとき同時に、ユーザは各表現の表示態様を参考にして、サンプル６０ａの香りと各表現の関係についても知ることができる。例えば図８の例では、ユーザは、サンプル６０ａの香りは、代表的には「甘い」と表現される香りであるが、「華やか」「果物」と表現されるような香りの成分も含んでおり、さらには、それらの香りから「春」や「花」いった事象が連想されるものだということを認識することができる。
【００３４】
次に、ユーザは、センサ装置４０のセンシング面に、さらに別のサンプル（ここではサンプル６０ｂとする）を置く。このとき、情報処理装置１０のサンプル特定部１１は、センサ装置４０によるサンプルＩＤの読み取り結果に基づいて、どのサンプル６０がセンシング面に置かれたかを特定する（図６のステップＳ１１）。さらに、情報処理装置１０の位置特定部１２は、センサ装置４０によるサンプルＩＤの読み取り位置に基づいて、どのサンプル６０がセンシング面のどこに置かれたかを特定する（図６のステップＳ１２）。
【００３５】
次に、表示制御部１４は、新たに置かれたサンプル６０ｂのサンプルＩＤをキーにして、表現ＤＢにおいてそのサンプルＩＤに対応する表現を検索する（図６のステップＳ１３）。さらに、表示制御部１４は、表現ＤＢを参照して、検索した表現の各々に対応する表示態様を決定する（図６のステップＳ１５）。そして、表示制御部１４は、基準点Ｐから各々のサンプル６０ａ，６０ｂまでの距離に応じた比を各サンプルの混合比率として決定する。ここでは、基準点Ｐから各々のサンプル６０ａ，６０ｂまでの距離の比を７２：２８として、サンプル６０ａ及びサンプル６０ｂの混合比率を、その比の逆数の比である１／７２：１／２８＝２８％：７２％とする。そして、表示制御部１４は、プロジェクタ装置２０を制御して、位置特定部１２により特定されたサンプル６０ａ，６０ｂの位置関係に応じた表示領域に、サンプル６０ａ，６０ｂの各々についてステップＳ１３で検索した表現を、サンプル６０ａ，６０ｂの各々についてステップＳ１５で決定した表示態様で、サンプル６０ａ，６０ｂの位置関係に応じた表示領域に表示する（図６のステップＳ１６）。
【００３６】
これにより、図９に例示するように、サンプル６０ａの香りに関する表現が、例えばそのサンプル６０ａの位置を中心とした任意の大きさの円の内部に表示されるとともに、サンプル６０ｂの香りに関する表現が、例えばそのサンプル６０ｂの位置を中心とした任意の大きさの円の内部に表示される。このときの各表現の表示態様は、表現を表示する領域に関する表示態様（例えば表現を表示する位置、表現を表示する位置とサンプル６０との距離、サンプル６０に対する表現の表示位置の方向）を除いて、図４に例示した表現ＤＢで規定された表示態様である。サンプル６０ａの香りの表現は、前述したように「甘い」「華やか」「果物」「春」「花」であるのに対し、サンプル６０ｂの香りの表現は、「甘い」「果物」「花」「フレッシュ」「ピンク」「透明感」である。これらの表現のうち、サンプル６０ａ及びサンプル６０ｂに共通する表現である「甘い」「果物」「花」は、サンプル６０ａとサンプル６０ｂの間の表示領域、例えばサンプル６０ａの位置とサンプル６０ｂの位置を結ぶ線分の中点を含む表示領域に表示される。そして、サンプル６０ａ及びサンプル６０ｂに共通しない表現は、サンプル６０ａとサンプル６０ｂの間の表示領域以外の表示領域に表示される。このとき、サンプル６０ａ及びサンプル６０ｂに共通する表現が表示される表示領域を例えば鎖線で示した円で囲み、その円と各サンプルとを結ぶような画像を表示することで、ユーザに対して、どの表現が各サンプルに共通する表現であるかを分かりやすく提示するようにしてもよい。このとき、さらにサンプル６０ａ及びサンプル６０ｂの混合比率「２８％」：「７２％」が表示される。
【００３７】
さらに、ユーザは、センサ装置４０のセンシング面に、第３のサンプル（ここではサンプル６０ｃとする）を置く。このとき、情報処理装置１０のサンプル特定部１１は、センサ装置４０によるサンプルＩＤの読み取り結果に基づいて、どのサンプル６０がセンシング面に置かれているかを特定する（図６のステップＳ１１）。さらに、情報処理装置１０の位置特定部１２は、センサ装置４０によるサンプルＩＤの読み取り位置に基づいて、どのサンプル６０がセンシング面のどこに置かれているかを特定する（図６のステップＳ１２）。
【００３８】
表示制御部１４は、新たに置かれたサンプル６０ｃのサンプルＩＤをキーにして、表現ＤＢにおいてそのサンプルＩＤに対応する表現を検索する（図６のステップＳ１３）。さらに、表示制御部１４は、表現ＤＢを参照して、検索した表現の各々に対応する表示態様を決定する（図６のステップＳ１５）。そして、表示制御部１４は、基準点Ｐから各々のサンプルまでの距離に応じた比を各サンプルの混合比率として決定する。ここでは、基準点Ｐから各々のサンプル６０ａ，６０ｂ，６０ｃまでの距離の比を６４：２２：１４として、サンプル６０ａ、６０ｂ，５０ｃの混合比率を、その比の逆数の比である１／６４：１／２２：１／１４＝１２：３４：５４とする。そして、表示制御部１４は、プロジェクタ装置２０を制御して、位置特定部１２により特定されたサンプル６０ａ，６０ｂ，６０ｃの位置関係に応じた表示領域に、サンプル６０ａ，６０ｂ，６０ｃの各々についてステップＳ１３で検索した表現を、サンプル６０ａ，６０ｂ，６０ｃの各々についてステップＳ１５で決定した表示態様で、サンプル６０ａ，６０ｂ，６０ｃの位置関係に応じた表示領域に表示する（図６のステップＳ１６）。
【００３９】
これにより、図１０に例示するように、サンプル６０ａの香りに関する表現が、例えばそのサンプル６０ａの位置を中心とした任意の大きさの円の内部に表示され、サンプル６０ｂの香りに関する表現が、例えばそのサンプル６０ｂの位置を中心とした任意の大きさの円の内部に表示され、サンプル６０ｃの香りに関する表現が、例えばそのサンプル６０ｃの位置を中心とした任意の大きさの円の内部に表示される。このときの各表現の表示態様は、表現を表示する領域に関する表示態様（例えば表現を表示する位置、表現を表示する位置とサンプル６０との距離、サンプル６０に対する表現の表示位置の方向）を除いて、図４に例示した表現ＤＢに規定された表示態様である。サンプル６０ａの香りの表現は、前述したように「甘い」「華やか」「果物」「春」「花」であり、サンプル６０ｂの香りの表現は、「甘い」「果物」「花」「フレッシュ」「ピンク」「透明感」であり、サンプル６０ｃの香りの表現は、「甘い」「フレッシュ」「朝」「散歩」「リラックス」である。これらの表現のうち、サンプル６０ａ及びサンプル６０ｂに共通する表現である「果物」「花」は、サンプル６０ａとサンプル６０ｂの間の表示領域に表示され、サンプル６０ｂ及びサンプル６０ｃに共通する表現である「フレッシュ」は、サンプル６０ｂとサンプル６０ｃの間の表示領域に表示されるが、サンプル６０ａ及びサンプル６０ｃに共通する表現はないから、なにも表示されない。さらに、サンプル６０ａ，６０ｂ，６０ｃの全てに共通する表現である「甘い」は、サンプル６０ａ、サンプル６０ｂ、サンプル６０ｃの間の表示領域、例えばこれらの３つのサンプルの位置を頂点とする三角形の重心に相当する表示領域に表示される。このとき、２以上のサンプル間で共通しない表現は、そのサンプルの間にある表示領域以外の表示領域に表示される。このとき同時に、サンプル６０ａ，６０ｂ，６０ｃの混合比率「１２％」：「３４％」：「５４％」が表示される。
【００４０】
ユーザはこれらの表現を参考にしながら、センシング面に置くサンプル６０を追加したり、センシング面からサンプル６０を除いたり、或いは、基準点Ｐから各サンプル６０までの距離を変えてみることで、複数のサンプル６０を混合したときの全体的な香りをイメージすることが可能となる。さらに、ユーザは複数のサンプル６０を、表示された混合比率でカップに混合させて嗅ぐこともできる。或いは、自動調香装置によって調香された香りが放出されるようになっていれば、ユーザはその自動調香装置に対してサンプルＩＤ及び混合比率を指定することで放出される香りを嗅ぐようにしてもよい。これにより、視覚的に把握した香りの混合イメージと現実の香りの混合結果との異同を、嗅覚をもって知ることが可能となる。
【００４１】
以上説明した実施形態によれば、サンプルを混合したときの香りを視覚的に把握することが可能となる。
【００４２】
［変形例］
本発明は、上述した実施形態に限定されない。上述した実施形態を以下のように変形してもよい。また、以下の２つ以上の変形例を組み合わせて実施してもよい。
【００４３】
［変形例１］
本発明は、嗅覚を対象としたものに限らず、味覚を対象としたもの（例えばワイン、日本酒、スパイス、調味料等）にも適用可能である。つまり、実施形態における「香り」を「味」に置き換えて本発明を実施してもよい。
【００４４】
［変形例２］
複数のサンプル６０の位置関係に応じた表示態様は実施形態の例に限定されない。例えば、３つのサンプル６０ａ〜６０ｃについて、表示制御部１４は、サンプル６０ａとサンプル６０ｂとの間、サンプル６０ｂとサンプル６０ｃとの間、及び、サンプル６０ｃとサンプル６０ａとの間には、それぞれ、サンプル６０ａとサンプル６０ｂ、サンプル６０ｂとサンプル６０ｃ、及び、サンプル６０ｃとサンプル６０ａをそれぞれ混合したときにはじめて認知されると考えられる香りの表現を表示するようにしてもよい。同様に、表示制御部１４は、サンプル６０ａ、６０ｂ、６０ｃの中間位置には、これらサンプル６０ａ、６０ｂ、６０ｃを混合したときにはじめて認知されると考えられる香りの表現を表示するようにしてもよい。これにより、例えば「甘い」という表現に対応するサンプル６０ａと「酸味」という表現に対応するサンプル６０ｂとの間には「甘酸っぱい」という表現が表示され、「酸味」という表現に対応するサンプル６０ｂと「木」という表現に対応するサンプル６０ｃとの間には「落ち着き」という表現が表示され、「木」という表現に対応するサンプル６０ｃと「甘い」という表現に対応するサンプル６０ａとの間には「果実」という表現が表示され、これらサンプル６０ａ、６０ｂ、６０ｃの中間位置には「森」という表現が配置される、という例が考えられる。この場合、どの香りとどの香りを混合するとどのような表現に相当する香りになるかというデータベース乃至規則が予め補助記憶装置１０４等に記憶されており、表示制御部１４はそれを参照するものとする。このように、表示制御部１４は、第１の物体と第２の物体との間の表示領域に、当該第１の物体と当該第２の物体とが混合された混合物体によって刺激される嗅覚に関する表現を表示するようにしてもよい。
【００４５】
［変形例３］
表示制御部１４は、複数のサンプル６０の位置関係に応じた表示態様で表現を表示するときに、相性が良い表現どうしを色や動き等で識別し得るような表示態様で表示するようにしてもよい。例えば「甘い」という表現に対応するサンプル６０ａと「まろやか」という表現に対応するサンプル６０ｂとについては、「甘い」と「まろやか」は相性がいいという前提で、これら「甘い」と「まろやか」という表現を同じ色で表示し、そのような相性の良い関係に無い表現はそれぞれ別の色で表示する例が考えられる。同様に、表示制御部１４は、相性が悪い表現どうしについても色や動きで識別し得る表示態様で表示するようにしてもよい。例えば「甘い」という表現に対応するサンプル６０ａと「苦い」という表現に対応するサンプル６０ｂとについては、「甘い」と「苦い」は相性が悪いという前提で、これら「甘い」と「苦い」という表現を同じような激しい動きで表示し、そのような相性の悪い関係に無い表現は動きのない表示を行う例が考えられる。このように、表示制御部１４は、第１の物体に関する表現と第２の物体に関する表現とのうち、所定の関係にある表現については、当該所定の関係ではない表現と識別可能な表示態様で表示するようにしてもよい。ここでいう、複数の表現が所定の関係にある表現とは、上述したような相性の良い／悪いという関係のほか、複数の表現がいずれもユーザの嗜好に合致する／合致しないとか、類似の香りの表現群に属する／属しないといった例も考えられる。この場合、香りに関するユーザの嗜好や類似の香りの表現群は予め収集及びデータベース化されて補助記憶装置１０４等に記憶されており、表示制御部１４はそれを参照するものとする。
【００４６】
［変形例４］
実施形態において、各サンプル６０の表現の表示態様は、表現を表示する領域に関する表示態様を除いて、図４に例示した表現とサンプル６０ａとの関係に応じた表示態様であったが、表示制御部１４は、混合比率に応じた表示態様で表現を表示するようにしてもよい。例えば、混合比率が大きいサンプル６０に関する表現を大きさや色等で強調表示し、混合したときにその表現が強い香りとなることが分かるようにする例が考えられる。つまり、表示制御部１４は、所定の基準点から各々のサンプル６０までの距離に応じた比を各々のサンプル６０の混合比率とし、その混合比率に応じた表示態様で表現を表示する。この場合、混合比率に基づいて、図４の表示態様をどのように変更するかは、予め規則化されて補助記憶装置１０４等に記憶されており、表示制御部１４はその規則を参照して、混合比率に応じた表示態様を決定するものとする。
【００４７】
［変形例５］
各表現を表示するときの表示態様は、表現とその表現の表示を見るユーザとの関係に応じたものであってもよい。表現とユーザとの関係とは、例えば、その表現によって表される香りの香りと香りに関するユーザの嗜好との一致度や、ユーザがその表現を香りの表現として用いた履歴等を含む。例えば「甘い」という香りを好むユーザに対しては、センシング面に置かれたサンプル６０の近くに「甘い」という表現を表示するとか、大きく又は目立つ色で「甘い」という表現を表示するとか、振動するように動くことで目立つように「甘い」という表現を表示するといった例が考えられる。この場合、香りに関するユーザの嗜好は予め収集及びデータベース化されて補助記憶装置１０４等に記憶されており、表示制御部１４はそれを参照するものとする。
【００４８】
また、例えば「甘い」という表現を過去に多く用いたことがあるユーザに対しては、センシング面に置かれたサンプル６０の近くに「甘い」という表現を表示するとか、大きく又は目立つ色で「甘い」という表現を表示するとか、振動するように動くことで目立つように「甘い」という表現を表示するといった例が考えられる。この場合、ユーザが香りに対して用いた表現の履歴は予め収集及びデータベース化されて補助記憶装置１０４等に記憶されており、表示制御部１４はそれを参照するものとする。
【００４９】
［変形例６］
各表現を表示するときの表示態様は、その表現によって表される香りの属性に応じたものであってもよい。香りの属性とは、例えばトップノート・ミドルノート・ラストノートの別であるとか、香りの刺激の強さ／弱さとか、香りの魅惑度や特殊性、希少性といったものを含む。トップノート・ミドルノート・ラストノートとは、香りが変化していくときに、時間的に最初に認知される香り、その次に認知される香り、さらにその次に認知される香りのことである。例えば、センシング面に置かれたサンプル６０の近くから遠くへと順に、トップノート・ミドルノート・ラストノートに相当する表現を表示する例や、トップノート・ミドルノート・ラストノートに相当する表現の表示を時系列に切り替えていく例が考えられる。また、刺激が強い香りとか希少な香りに関する表現は、特定の色やフォント、動きで表示する例が考えられる。
【００５０】
［変形例７］
各表現を表示するときの表示態様は、その表現の属性に応じたものであってもよい。表現の属性とは、例えば、表現から受けるイメージ、表現の品詞の別、表現に用いる文字の種別（ひらがな、カタカナ、漢字、アルファベット等）、表現を構成する文字数／単語数等を含む。例えば「甘い」という表現は暖色で表示する例が考えられる。
【００５１】
［変形例８］
表示装置や操作装置は、図１で例示したプロジェクタ装置２０やセンサ装置４０に限定されない。例えば表示装置は、実施形態のように操作装置であるセンサ装置４０のセンシング面に画像を投影するものに限らず、例えば操作装置自体が表示装置であってもよい。また、表示装置は壁面に画像を表示するものであってもよい（壁面に画像を投影する場合や壁面自体が表示装置である場合を含む）。また、表示装置はいわゆる拡張現実を実現する表示装置であってもよい。具体的には、スマートホンやタブレット或いはグラス型ウェアラブル装置の撮像装置でサンプル６０を撮像すると、その撮像画像中のサンプル６０の周囲に、対応する表現群を表示するものであってもよい。また、操作装置は、ユーザの操作を画像認識技術によって検知する装置であってもよい。
【００５２】
［変形例９］
実施形態においては、サンプル６０をセンサ装置４０のセンシング面に置くとそのサンプル６０に関する表現を表示していたが、例えばサンプル６０に相当するアロマオイルを収容した蓋付き小瓶の蓋を開けたときに、そのサンプル６０に関する表現を表示するようにしてもよい。同様に、例えば自然物そのものを皿に置いた状態で透明カバーを被せておき、ユーザがその透明カバーを外したときに、その自然物の香りに関する表現を表示するようにしてもよい。
【００５３】
［変形例１０］
表現の表示形態は、２次元表示でもよいし、３次元表示であってもよい。また、表示される「表現」は、文字に限らず、色、抽象画、或いは人物／景色等の画像であってもよい。
【００５４】
本発明は、情報処理装置１０において行われる処理のステップを備える情報処理方法として提供されてもよい。また、本発明は、情報処理装置１０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００５５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５６】
１…情報提供システム、２０…プロジェクタ装置、４０…センサ装置、６０…サンプル、６１…タグ、１０１…ＣＰＵ、１０２…ＲＯＭ、１０３…ＲＡＭ、１０４…補助記憶装置、１０５…通信ＩＦ、１１…サンプル特定部、１２…位置特定部、１３・・・表現ＤＢ記憶部、１４…表示制御部、Ｐ…基準点。
【図１】
2020160982.tif 000003
【図２】
2020160982.tif 000004
【図３】
2020160982.tif 000005
【図４】
2020160982.tif 000006
【図５】
2020160982.tif 000007
【図６】
2020160982.tif 000008
【図７】
2020160982.tif 000009
【図８】
2020160982.tif 000010
【図９】
2020160982.tif 000011
【図１０】
2020160982.tif 000012